(57)【要約】【課題】  微調整時等における設定状態を操作者の手元での単純な操作でマーキング可能とし、そのマーキング位置の確認、該位置への復帰を簡単かつ確実に行えるマーキング機能付き音声調整装置を得る。【解決手段】  音色等を加工、調整するための操作つまみ２と、この操作つまみによる任意の操作位置を検出するロータリエンコーダ（１１）と、このロータリエンコーダによる任意の操作位置をマーキングするための記憶用スイッチ部１２と、このスイッチ部によりマーキング操作が行われたときにその操作位置を記憶する記憶部１３と、この記憶部に記憶された操作位置に手動調整手段が操作されたときに該位置を判別表示するＬＥＤ表示部３とを備える。【選択図】        図１
2008306389.tif 000002
【特許請求の範囲】
【請求項１】
音声ミキシングを行う音量調整装置において、
音色等を加工、調整するための手動調整手段と、
この手動調整手段による任意の操作位置を検出する検出手段と、
この検出手段による任意の操作位置をマーキングするためのスイッチ手段と、
このスイッチ手段によりマーキング操作が行われたときにその操作位置を記憶する記憶手段と、
この記憶手段に記憶された操作位置に手動調整手段が操作されたときに該位置を表示する表示手段とを備えたことを特徴とするマーキング機能付き音声調整装置。
【請求項２】
請求項１記載のマーキング機能付き音声調整装置において、
手動調整手段は、回転操作される操作つまみであり、
検出手段は、ロータリエンコーダであることを特徴とするマーキング機能付き音声調整装置。
【請求項３】
請求項１または請求項２記載のマーキング機能付き音声調査装置において、
表示手段は、手動調整手段の操作方向に沿って配列された複数のＬＥＤからなるＬＥＤ表示部であり、
そのマーキング位置に対応するＬＥＤを点滅表示することにより、設定操作位置の判別表示を行うように構成されていることを特徴とするマーキング機能付き音声調整装置。
【請求項４】
請求項３記載のマーキング機能付き音声調整装置において、
記憶手段に記憶したマーキング位置を呼び出すことにより、ＬＥＤ表示部のうちの該位置に応じたＬＥＤを点滅表示させて判別表示することを特徴とするマーキング機能付き音声調整装置。
【発明の詳細な説明】
【技術分野】
【０００１】
本発明は、たとえばコンサートや演劇、あるいは放送等での録音、編集等を行うミキシングコンソール（音声調整卓）などにおいて、入力された複数の音声信号などの音量をそれぞれ調整して出力するため等に用いられる音声調整装置に関し、特にその調整操作を行う際に用いて好適なマーキング機能付き音声調整装置に関する。
【背景技術】
【０００２】
各種放送用、レコーディング用スタジオ等において使用され、複数の音声信号の処理、調整等を行い、音声ソフトを制作するためのミキシングコンソールが従来から知られている。この種のミキシングコンソールには、たとえばマイクロフォンや音声再生装置からなどの装置から複数の音声信号を入力し、それぞれの音声信号の音量レベルを、それぞれ対応する複数の音量調整用の操作手段を用いてそれぞれ調整して出力する音声調整装置が用いられている。
【０００３】
ところで、この種の音声調整装置には、通常、フェーダやロータリエンコーダ等が手動調整手段として各チャンネル毎に複数個ずつ設けられている。そして、これらのチャンネル毎に、装備された手動調整手段はマイクを通して入力された音声および楽器の音などの音色を加工、調整するものとしての役割を果たしている。
【０００４】
たとえば、デジタルコントロール化されている音声調整装置では、フェーダやロータリエンコーダ等の手動調整手段にはＬＥＤや表示機等で設定値を表示する事ができるものが実装されているものもある。また、デジタルコントロール化された音声調整装置はそれぞれの手動調整手段の設定値含め、調整操作位置等の設定状態の全てを記憶・再現する事が可能になっている。
ここでの記憶・再現は全ての手動調整手段の位置（設定値）が対象になっており、同時に音声処理を行っている（例えば、特許文献１参照）。
【０００５】
【特許文献１】特開平３−１２８５１０号公報
【発明の開示】
【発明が解決しようとする課題】
【０００６】
しかし、上述した構成による従来装置において、微調整を行うために、音声の差し替え等があった場合、あるいは単一チャンネルの音声のみエンコーダの設定をメモしておきたいことがあっても、わざわざシーンとして保存しなくてはならないために、シーンの数が増えてしまい、管理も困難になるという問題があった。
【０００７】
このため、この種の従来装置において、操作者の手元で手動操作状態をメモしておきたくても、ドラフティングテープのような物を音声調整装置に貼って手動調整手段の情報をメモするのも、面倒かつ困難である。
【０００８】
本発明はこのような事情に鑑みてなされたものであり、各チャンネルを手動調整操作するロータリーエンコーダ等の手動調整手段毎に微調整時等における設定状態を、手元での単純な操作でマーキングできるようにすることにより、マーキング位置の確認を簡単に行え、パラメータの変更が生じたとしても、マニュアル操作で迅速かつ確実にマーキング位置への復帰を可能とすることができるマーキング機能付き音声調整装置を得ることを目的とする。
【０００９】
特に、本発明によれば、装置の全パラメータでの記憶、再現機能を用いることなく、個々の手動調整手段毎のマーキングを行えるようにし、他のパラメータを変更することなく各チャンネルの特定の手動調整手段のみを選択して呼び出すことも可能となるマーキング機能付き音声調整装置を得ることを目的とする。
【課題を解決するための手段】
【００１０】
このような目的に応えるために本発明（請求項１記載の発明）に係るマーキング機能付き音声調整装置は、音声ミキシングを行う音量調整装置において、音色等を加工、調整するための手動調整手段と、この手動調整手段による任意の操作位置を検出する検出手段と、この検出手段による任意の操作位置をマーキングするためのスイッチ手段と、このスイッチ手段によりマーキング操作が行われたときにその操作位置を記憶する記憶手段と、この記憶手段に記憶された操作位置に手動調整手段が操作されたときに該位置を表示する表示手段とを備えたことを特徴とする。
【００１１】
本発明（請求項２記載の発明）に係るマーキング機能付き音声調整装置は、請求項１記載のマーキング機能付き音声調整装置において、手動調整手段は、回転操作される操作つまみであり、検出手段は、ロータリエンコーダであることを特徴とする。
【００１２】
本発明（請求項３記載の発明）に係るマーキング機能付き音声調整装置は、請求項１または請求項２記載のマーキング機能付き音声調査装置において、表示手段は、手動調整手段の操作方向に沿って配列された複数のＬＥＤからなるＬＥＤ表示部であり、そのマーキング位置に対応するＬＥＤを点滅表示することにより、設定操作位置の判別表示を行うように構成されていることを特徴とする。
【００１３】
本発明（請求項４記載の発明）に係るマーキング機能付き音声調整装置は、請求項３記載のマーキング機能付き音声調整装置において、記憶手段に記憶したマーキング位置を呼び出すことにより、ＬＥＤ表示部のうちの該位置に応じたＬＥＤを点滅表示させて判別表示することを特徴とする。
【発明の効果】
【００１４】
以上説明したように本発明に係るマーキング機能付き音声調整装置によれば、装置の各チャンネルでのロータリエンコーダ等の手動調整手段毎にそれぞれの設定位置状態をマーキングできるように構成したから、操作者が手元で単純な操作を行うだけでロータリエンコーダ等の手動調整手段毎の位置設定の状態をマーキングすることができる。
【００１５】
また、本発明によれば、上述した各手動調整手段毎のマーキングした位置は手元で直ぐに確認できることから、パラメータの変更が生じたとしても、マニュアル操作により迅速にマーキングした位置への復帰が可能となるという利点がある。
【００１６】
さらに、本発明によれば、音声調整装置においての全パラメータの記憶、再現機能を用いることなく、個々のロータリエンコーダ等の手動調整手段毎の設定位置をマーキングすることができるから、他のパラメータを変更することなく、各チャンネルの特定の手動調整手段のみを選択して呼び出すことも可能となり、使い勝手がよく、操作性の面で優れているという効果を奏する。
【発明を実施するための最良の形態】
【００１７】
図１および図２は本発明に係るマーキング機能付き音声調整装置の一実施形態を示し、これらの図において、符号１で示すミキシングコンソールとしての音声調整装置の操作部には、多数の手動調整手段としてのロータリエンコーダによる操作つまみ２が多数配列して設けられ、また多数の操作ボタンや指示表示部等も付設されている。
【００１８】
ここで、各操作つまみ２の外周部分には、操作つまみ２の操作方向に沿って多数のＬＥＤが配列して設けられ、これによりＬＥＤ表示部３が形成されている。このＬＥＤ表示部３は、通常は操作つまみ（ロータリエンコーダ）２の操作位置を表すように構成されている。すなわち、操作つまみ２を回動操作すると、その調整操作した位置に該当するＬＥＤが点灯するようになっている。
【００１９】
そして、このような音声調整装置の操作部１は、放送等のオンエア時において、多数の音声信号の音量などを調整して所望の出力が得られるようにするために用いられる。
【００２０】
本発明によれば、上述した音声調整装置の操作部１において、各操作つまみ２による調整操作は、図２に示すように、各ロータリエンコーダによる設定操作部１１で読み取られ、その位置情報が記憶スイッチ部１２が操作されることで、メモリ等による記憶部１３に記憶されるように構成されている。また、この記憶部１３にパラメータとして記憶された各ロータリエンコーダの位置情報は、必要に応じて呼び出されて前記ロータリエンコーダ設定操作部１１に送られ、その位置情報の表示などが行われる。ここで、１４は制御処理部であり、ロータリエンコーダの位置情報を読み取り、音声処理部の制御データを作成する等の処理を行うようになっている。
【００２１】
このような構成において、調整操作を行い、ロータリエンコーダによる操作つまみ２を所定の調整位置に位置合わせし、その状態をマーキングするための記録用スイッチ部１０をオン操作すると、その時点でのロータリエンコーダの位置情報が記憶部１１に記憶される。ここで、このようなマーキングできる設定位置の数は特に制限されない。
【００２２】
その後の調整操作時において、操作つまみ３を回転させたときに、このマーキング位置に操作つまみ３が到達すると、記憶部１３での記憶によってＬＥＤ表示部３の該当部分のＬＥＤが点滅表示することになる。
【００２３】
ここで、このようなマーキング設定位置での表示は、ＬＥＤ表示部３のＬＥＤを点滅させる等の表示によって簡単に判別できるようにする。これにより、マニュアル操作でマーキングした位置へ操作つまみ２を操作して戻すことができるのである。
【００２４】
また、このマーキングした操作つまみ２によるチャンネルは、音声調整装置の操作部１で記憶しているシーンとは異なる別の記憶になっているため、他のパラメータを変更することなくチャンネル毎にマーキングを行ったロータリエンコーダのみを呼出して差し替えることも可能となる。
【００２５】
さらに、手元で操作しているロータリエンコーダの設定を保存しておきたい場合は、そのスイッチ機能を持つロータリエンコーダならば、当該スイッチを長押ししたり、チャンネル毎に設けている記憶するための機能を持っているスイッチを利用しその状態をマーキングする作業を行うとよい。
【００２６】
図３は上述したロータリエンコーダによる操作つまみ２を所定の位置まで回転操作して位置決めし、マーキングする際のエンコーダ処理を示すものである。
すなわち、この処理は、始めに、Ｓ１０のエンコーダ位置記憶処理を行い、その後Ｓ２０のエンコーダ位置呼処理を行う。
【００２７】
図４はＳ１０のエンコーダ位置記憶処理を示すものであり、Ｓ１１において記憶用スイッチ部１２が押されているか否かの判断が行われる。そして、そうであれば、Ｓ１２に進み、エンコーダ位置の記憶部１３への記憶を行う。そして、Ｓ１３に進み、エンコーダ位置の記憶処理終了となる。Ｓ１１において、Ｎｏであれば、Ｓ１３に進んでこの処理は終了する。
【００２８】
図５はＳ２０でのエンコーダ位置呼出処理を示すものである。
始めに、Ｓ２１において、記憶されたエンコーダデータが存在するか否かが判断される。Ｎｏであれば、Ｓ２６のエンコーダ位置呼出処理終了となる。
Ｙｅｓであれば、Ｓ２２に進んで、現在のエンコーダ位置は記憶された場所と同じ位置であるか否かが判断される。ＹｅｓであればＳ２３に進み、ＮｏであればＳ２６に進んで処理が終了する。
【００２９】
Ｓ２３では、エンコーダ位置表示要ＬＥＤを点滅させる。
次いで、Ｓ２４に進んで、エンコーダＬＥＤ点滅開始から１５秒が経過したか否かが判断される。Ｙｅｓであれば、Ｓ２５に進んで点滅表示を終了し、Ｓ２６で処理を終了させる。Ｎｏであれば、Ｓ２２に戻ることになる。
【００３０】
なお、本発明は上述した実施の形態で説明した構造には限定されず、各部の形状、構造等を適宜変形、変更し得ることはいうまでもない。たとえば設定操作を行う手段としてロータリエンコーダを備えた操作つまみ２について説明したが、本発明はこれに限定されず、たとえばフェーダなどの調整操作手段であってもよい。
【００３１】
また、エンコーダに記憶されている設定が存在するか否かを確認するには、たとえば一斉に設定位置表示を呼び出す機能を持ったスイッチから、記憶位置を表示する媒体に「現在値⇒設定値１⇒設定値２・・・⇒現在値」と表示させて確認することが可能である。
さらに、マーキング位置の記憶操作を行う手法としても、たとえばエンコーダ付近に記憶用スイッチを設けておき、それぞれ記憶させる方法があり、これを繰り返すことで複数の記憶することも可能である。また、エンコーダをもつ操作つまみ２がスイッチになっている場合は、そのスイッチを押圧操作することで記憶させるようにするとよい。
【００３２】
また、上述したマーキング位置を表示する手段としては、たとえば手動で回転操作し設定位置に移動したらエンコーダのＬＥＤ点滅表示する方法、手動で回転操作し設定位置に移動したらエンコーダのＬＥＤ色を変える方法、手動で回転操作し設定位置に移動したら文字表示機を実装して文字点滅させる方法等、種々の方法が考えられる。
【００３３】
また、マーキング位置を自動的に呼び出す方法としては、たとえば手動で回転操作し設定位置に移動させる以外にも、自動で設定値への復帰操作を行うことができる。さらに、設定値を記憶するために設けられているスイッチ、もしくはエンコーダをもつ操作つまみ２を長押しすることで自動に設定値にすること、一斉切替用のスイッチにより記憶された情報があるエンコーダを設定値にしてしまう方法等がある。
【図面の簡単な説明】
【００３４】
【図１】本発明に係るマーキング機能付き音声調整装置の一実施形態を示し、ミキシングコンソールとしての音声調整装置の操作部の概略図およびその手動調整手段である操作つまみの拡大図である。
【図２】本発明に係るマーキング機能付き音声調整装置の機能ブロック図である。
【図３】本発明に係るマーキング機能付き音声調整装置においてエンコーダ処理を説明するためのフローチャートである。
【図４】本発明に係るマーキング機能付き音声調整装置において、エンコーダ位置の記憶処理を説明するためのフローチャートである。
【図５】本発明に係るマーキング機能付き音声調整装置において、エンコーダ位置呼出処理を説明するためのフローチャートである。
【符号の説明】
【００３５】
１…ミキシングコンソールとしての音声調整装置の操作部、２…操作つまみ（手動調整手段としてのロータリエンコーダ）、３…ＬＥＤ表示部（表示手段）、１１…ロータリエンコーダ設定操作部、１２…記憶用スイッチ部（スイッチ手段）、１３…記憶部（記憶手段）、１４…制御処理部。
【図１】
2008306389.tif 000003
【図２】
2008306389.tif 000004
【図３】
2008306389.tif 000005
【図４】
2008306389.tif 000006
【図５】
2008306389.tif 000007